(57)【要約】      （修正有）【課題】刷毛部分の長寿命化、及び研磨性の向上の両立を図った強度補強ブラシ及びこれを用いたバリ取り・研磨方法を提供する。【解決手段】複数本の刷毛を束ねると共に筒状体４に収納した刷毛束３を任意の間隔で複数植え付けて強度補強を施した強度補強ブラシ１において、前記筒状体が揺動自在のコイルスプリングであることを特徴とする強度補強ブラシ、及び、複数本の刷毛を束ねた刷毛束が、これを囲むコイルスプリングによって揺動しながら、バリ取り・研磨を行うことを特徴とするバリ取り・研磨方法である。【選択図】        図１
2005040905.tif 000002
【特許請求の範囲】
【請求項１】
複数本の刷毛を束ねると共に筒状体に収納した刷毛束を任意の間隔で複数植え付けて強度補強を施した強度補強ブラシにおいて、前記筒状体が揺動自在のコイルスプリングであることを特徴とする強度補強ブラシ。
【請求項２】
前記コイルスプリングの少なくとも一部が前記刷毛束に密着している構成であることを特徴とする請求項１記載の強度補強ブラシ。
【請求項３】
前記コイルスプリングが根元部より先端部方向に向かって次第に拡開している構成であることを特徴とする請求項１又は２に記載の強度補強ブラシ。
【請求項４】
前記コイルスプリングの少なくとも頭部が、隣接するコイル部が密着している構成であることを特徴とする請求項１〜３のいずれかに記載の強度補強ブラシ。
【請求項５】
複数本の刷毛を束ねた刷毛束が、これを囲むコイルスプリングによって揺動しながら、バリ取り・研磨を行うことを特徴とするバリ取り・研磨方法。
【発明の詳細な説明】
【技術分野】
【０００１】
本発明は強度補強ブラシ及びバリ取り・研磨方法に関し、詳しくはワイヤブラシに代表される強度補強ブラシ及びバリ取り・研磨方法に関するものである。
【背景技術】
【０００２】
研磨ブラシは被研磨物を研磨する性質上、使用による刷毛部分の損耗が生じる。特に板金修理等に用いられる研磨加工用のワイヤブラシは、被研磨物が硬質であるために使用による刷毛部分の損耗が極めて激しく寿命の短いものとなっている。
【０００３】
損耗の程度を軽減するために刷毛部分の強度を高めるには刷毛の材質を硬度・剛性の高い材料にすればよいが、刷毛の硬度・剛性を上げ過ぎると被研磨物が磨耗ないしは損傷してしまうという問題点を有している。
【０００４】
そこで、刷毛材料の硬度・剛性を高めることなく刷毛の腰の強度を高めるために様々な手段が採用されている（特許文献１〜３等参照）。
【０００５】
特許文献１に記載の技術は、刷毛束の各々を筒状体に収納することで刷毛の腰の強度を高めている。
また特許文献２に記載の技術は、刷毛１本１本を補強膜で被覆することで刷毛部分の損耗を軽減させている。
さらに特許文献３に記載の技術は、刷毛束の外周面に合成繊維フィラメントヤーンをスパイラル状に巻き付け若しくは編み付けることで刷毛の強度を高めている。
【０００６】
【特許文献１】特開２００２−２５４２７７号公報
【特許文献２】特開２００２−２０４７１９号公報
【特許文献３】特開平９−２９４６３２号公報
【発明の開示】
【発明が解決しようとする課題】
【０００７】
しかし、特許文献１〜３のいずれの技術もブラシの刷毛部分の強度は高まるものの、ブラシとしての弾力性・しなやかさが阻害されており、研磨性の点で満足できるものではない。
そこで本発明の課題は、刷毛部分の長寿命化、及び研磨性の向上の両立を図った強度補強ブラシ及びこれを用いたバリ取り・研磨方法を提供することにある。
【課題を解決するための手段】
【０００８】
上記課題を解決する本発明は下記構成を有する。
【０００９】
１．複数本の刷毛を束ねると共に筒状体に収納した刷毛束を任意の間隔で複数植え付けて強度補強を施した強度補強ブラシにおいて、前記筒状体が揺動自在のコイルスプリングであることを特徴とする強度補強ブラシ。
【００１０】
２．前記コイルスプリングの少なくとも一部が前記刷毛束に密着している構成であることを特徴とする上記１記載の強度補強ブラシ。
【００１１】
３．前記コイルスプリングが根元部より先端部方向に向かって次第に拡開している構成であることを特徴とする上記１又は２に記載の強度補強ブラシ。
【００１２】
４．前記コイルスプリングの少なくとも頭部が、隣接するコイル部が密着している構成であることを特徴とする上記１〜３のいずれかに記載の強度補強ブラシ。
【００１３】
５．複数本の刷毛を束ねた刷毛束が、これを囲むコイルスプリングによって揺動しながら、バリ取り・研磨を行うことを特徴とするバリ取り・研磨方法。
【発明の効果】
【００１４】
本発明によれば、刷毛部分の長寿命化、及び研磨性の向上の両立を図った強度補強ブラシ及びこれを用いたバリ取り・研磨方法を提供することができる。
【００１５】
本発明は、複数本の刷毛を束ねた刷毛束を揺動自在のコイルスプリングに収納したことにより、ブラシとしての柔軟性・しなやかさを維持したまま刷毛の硬度・剛性を高めることなく刷毛部分の強度を高めることができるため、刷毛部分の長寿命化及び研磨性の向上の両立を実現した。特に、コイルスプリングに囲まれた刷毛束は、揺動しながら、細部に亘るバリ取り・研磨作業を行うことに寄与する。
【発明を実施するための最良の形態】
【００１６】
図１は、本発明に係る強度補強ブラシの一実施例を示す側面図、図２は刷毛束の拡大斜視図、図３は刷毛束の他の実施例を示す拡大側面図、図４は刷毛の拡大側面図、図５は刷毛束の更に他例を示す拡大側面図である。
【００１７】
図１において、本発明に係る強度補強ブラシ１は、複数本の刷毛２を束ねた刷毛束３・３・３・・・、該刷毛束３の夫々を収納した筒状体である揺動自在のコイルスプリング４、コイルスプリング４に収納した刷毛束３を任意の間隔で複数束植え付けるブラシ基体５、とから主として構成されている。
【００１８】
刷毛束３は、一束当り通常３０本程度の刷毛２の１本１本を半折りし、折曲部２Ａ（図４参照）をブラシ基体５に穿れた植付孔に差し込むことで一束当り６０本程度の刷毛２の刷毛束３となる構成である。ブラシ基体５への刷毛束３の植え込みに際しては刷毛束３の根元部を線状材で結束する各刷毛２の折曲部２Ａ全てに線状材を挿通し、更に該線状材の末端を上向きに折り曲げた状態でブラシ基体５の植付孔に差し込むことで、線状材の上向きの末端が植付孔内で抜け防止のストッパーの役目を果たさせてもよいし、後述のように、本発明のコイルスプリング４にこの役目を果たさせてもよい。
【００１９】
研磨ブラシ１の刷毛２の材質としては、一般的には金属線と非金属線があり、金属線としては鉄系金属線（ピアノ線、ステンレス線等）と非鉄系金属線（黄銅線）、非金属線としては植物繊維（タンピコ、コイヤー等）と動物繊維（豚毛、馬毛、山羊毛等）と合成繊維（ナイロン繊維（研磨剤混入も有り）、塩化ビニル繊維、メタ系アラミド繊維（研磨剤混入も有り）、ポリプロピレン等）が用いられている。
【００２０】
刷毛束３を収納する筒状体である揺動自在のコイルスプリング４としては、刷毛２が金属線の場合には該金属線と同質ないしは近質のコイルスプリング４であることが好ましく、刷毛２が非金属線である場合には金属製のコイルスプリング４に合成樹脂で被覆コーティングしたものが好ましい。刷毛束３の刷毛２の材質とコイルスプリング４の材質を略同質とすることは、研磨に影響を与えることなく好ましい。
【００２１】
図２に示すように、刷毛束３の先端を含む上部はコイルスプリング４の上端（頭部）より突出させており、かかる突出程度としては、刷毛束３の長さＬに対する刷毛束３の先端を含む上部の突出長さｌは、例えば、刷毛２がステンレス製の場合には刷毛束３の長さＬが１５〜５０ｍｍのときｌは３〜１０ｍｍであることが好ましく、Ｌが１５〜３０ｍｍのときｌは５〜８ｍｍが特に好ましく、また、刷毛２が黄銅製の場合には刷毛束３の長さＬが１５〜５０ｍｍのときｌは３〜９ｍｍであることが好ましく、Ｌが１５〜３０ｍｍのときｌは５〜７ｍｍが特に好ましい。
【００２２】
刷毛束３と該刷毛束３を収納するコイルスプリング４とは、少なくとも一部が密着していることが好ましく、ブラシ基体５への植え込み側である根元部分が密着していることが特に好ましい。コイルスプリング４の柔軟性にも影響されるが、この刷毛束３への密着程度によってブラシとしての刷毛２の柔軟性・しなやかさを変更できる。即ち、同硬度の柔軟性を有するコイルスプリング４を比較した場合、収納する刷毛束３により多く密着している方が硬い性質を有することになる。
【００２３】
また、コイルスプリング４は、根元部４Ａから先端部４Ｂまで同径の筒状体でもよいが、好ましくは根元部４Ａより先端部４Ｂ方向に向かって次第に拡開していることである。拡開程度としては、例えば、根元部４Ａの径が２．５ｍｍの場合、先端部４Ｂの径は３．５ｍｍ程度であることが好ましい。
【００２４】
刷毛束３及び該刷毛束３を収納したコイルスプリング４をブラシ基体５に植え込むに際して、刷毛束３からの刷毛２の脱落を防止するために、半折りされている刷毛２の根元部の折曲部２Ａ（図４参照）にコイルスプリング４の根元部の螺旋端部を挿通し、更に該コイルスプリング４の末端を上向きに折り曲げた状態でブラシ基体５の植付孔に差し込むことで、コイルスプリング４の上向きの末端が植付孔内で抜け防止のストッパーの役目を果たす構成とすることが好ましい。
【００２５】
本発明に用いるコイルスプリング４は、図１〜図３に示すように、頭部（先端部・上端部）から根元部（基部）４Ａまでの全体が、隣接するコイル部が密着しているものであることが刷毛２の上端を挟着する恐れがないために好ましい。ただし、図５に示すようにコイルスプリング４の少なくとも頭部について、隣接するコイル部が密着しており、他の部分は離開したコイル部であっても、この目的は達成できる。
【００２６】
本発明を適用可能な強度補強ブラシは、手動に限らず自動ブラシであってもよく、例えば、前記特許文献１の図面（特に、図２及び図７）に記載のブラシ類に適用できるし、またブラシ基体の形状も問わない。
【図面の簡単な説明】
【００２７】
【図１】本発明に係る強度補強ブラシの一実施例を示す側面図
【図２】刷毛束の拡大斜視図
【図３】刷毛束の他の実施例を示す拡大側面図
【図４】刷毛の拡大側面図
【図５】刷毛束の更に他例を示す拡大側面図
【符号の説明】
【００２８】
１    研磨ブラシ
２    刷毛
２Ａ  折曲部
３    刷毛束
４    コイルスプリング
４Ａ  根元部
４Ｂ  先端部
５    ブラシ基体
【図１】
2005040905.tif 000003
【図２】
2005040905.tif 000004
【図３】
2005040905.tif 000005
【図４】
2005040905.tif 000006
【図５】
2005040905.tif 000007